【手続補正書】
【提出日】平成29年6月28日(2017.6.28)
【手続補正１】
【補正対象書類名】明細書
【補正対象項目名】００４４
【補正方法】変更
【補正の内容】
【００４４】
本明細書において、本発明の或る特定の特徴だけが図示および説明されてきたが、当業者には多くの変更および変形が思い浮かぶであろう。それゆえ、添付の特許請求の範囲は、本発明の真の趣旨に入る全てのこのような変更および変形を包含することを意図していることを理解されたい。
なお、本発明は以下の特徴を以って実施することができる。
［特徴１］
金属製造リソースパフォーマンスシステムのデータを管理する方法であって、
第１の金属製造リソースの金属製造動作中にサンプリングされた第１の複数のパラメーターを表す第１のデータのセットを非一時的コンピューター可読媒体に記憶することであって、前記リソースは、個々のリソースおよびリソースグループのリストからユーザーによって選択可能であり、前記第１のデータのセットは、前記第１の金属製造リソースに対応する第１の識別子を含むことと、
前記リストから第２の金属製造リソースを選択することであって、第２のデータのセットが、前記第２の金属製造リソースに対応する第２の識別子を含むことと、
前記第１のデータのセットの一部分の前記第１の識別子を前記第２の識別子に変更することとを含む金属製造リソースパフォーマンスシステムのデータを管理する方法。
［特徴２］
前記第１のデータのセットの前記一部分を、前記第１の金属製造リソースに対応する第１のメモリエリアから前記第２の金属製造リソースに対応する第２のメモリエリアにコピーすることを含む特徴１に記載の方法。
［特徴３］
前記第２の金属製造リソースの金属製造動作中にサンプリングされた第２の複数のパラメーターを表す前記第２のデータのセットを記憶することと、
前記第１のデータのセットの前記コピーされた一部分を前記第２のデータのセットに付加することとを含む特徴２に記載の方法。
［特徴４］
前記第１のデータのセットの前記一部分を前記第２のデータのセットに付加した後に、該一部分を前記第１のメモリエリアから削除することを含む特徴３に記載の方法。
［特徴５］
前記第２のデータのセットおよび前記コピーされて付加された一部分を、前記第２の金属製造リソースに対応するデータとして提示することを含む特徴３に記載の方法。
［特徴６］
前記第１のメモリエリアまたは前記第２のメモリエリアのうちの少なくとも一方は、クラウドベースのリソースを含む特徴２に記載の方法。
［特徴７］
前記第１のデータのセットは溶接履歴またはイベントログ記録を含む特徴１に記載の方法。
［特徴８］
前記第１のデータのセットの前記一部分の前記第１の識別子を変更した後に、前記金属製造リソースパフォーマンスシステム内の前記第１の識別子の参照子を削除することを含む特徴１に記載の方法。
［特徴９］
前記第１のデータのセットの前記一部分の前記第１の識別子を変更する前に、通知をオペレーターに提示することを含む特徴１に記載の方法。
［特徴１０］
金属製造リソースパフォーマンス監視インターフェースであって、
ユーザー閲覧デバイスに送信されるコンピューター実行コードによって規定された少なくとも１つのユーザー閲覧可能構成ページを備え、該構成ページは、
個々の金属製造リソースおよび金属製造リソースグループのリストと、
前記リストから選択された金属製造リソースのプロパティを変更するユーザー構成可能入力部と、
前記リストからのサブセット金属製造リソースを含む対象マージリストと、
前記選択された金属製造リソースと関連付けられたデータレコードを前記対象マージリストから選択された対象金属製造リソースと関連付けられたデータレコード内にマージするように構成されたマージ制御部とを備える金属製造リソースパフォーマンス監視インターフェース。
［特徴１１］
前記コードは、汎用ブラウザーにおける閲覧のためにプロセッサによって実行可能である特徴１０に記載のインターフェース。
［特徴１２］
前記マージ制御部は、前記選択された金属製造リソースと関連付けられたデータレコードをメモリまたはクラウドリソースから削除する特徴１０に記載のインターフェース。
［特徴１３］
金属製造リソースパフォーマンス監視システムであって、
第１の金属製造リソースの金属製造動作中にサンプリングされた第１の複数のパラメーターを表す第１のデータのセットを非一時的コンピューター可読媒体に記憶することであって、前記リソースは、ユーザー閲覧デバイスの閲覧可能構成ページを介して閲覧可能な個々のリソースおよびリソースグループのリストからユーザーによって選択可能であり、前記第１のデータのセットは、前記第１の金属製造リソースに対応する第１の識別子を含むことと、
前記リストからの第２の金属製造リソースの選択を可能にすることであって、第２のデータのセットが、前記第２の金属製造リソースに対応する第２の識別子を含むことと、
前記第１のデータのセットの一部分の前記第１の識別子を前記第２の識別子に変更することとを行う金属製造リソースパフォーマンス監視システム。
［特徴１４］
前記システムは、前記第１のデータのセットの前記一部分を、前記第１の金属製造リソースに対応する第１のメモリエリアから前記第２の金属製造リソースに対応する第２のメモリエリアにコピーする特徴１３に記載のシステム。
［特徴１５］
前記システムは、
前記第２の金属製造リソースの金属製造動作中にサンプリングされた第２の複数のパラメーターを表す前記第２のデータのセットを記憶することと、
前記第１のデータのセットの前記コピーされた一部分を前記第２のデータのセットに付加することとを行う特徴１４に記載のシステム。
［特徴１６］
前記システムは、前記第１のデータのセットの前記一部分を前記第２のデータのセットに付加した後に、該一部分を前記第１のメモリエリアから削除する特徴１５に記載のシステム。
［特徴１７］
前記システムは、前記第２のデータのセットおよび前記コピーされて付加された一部分を前記第２の金属製造リソースに対応するデータとして前記閲覧可能構成ページを介して提示する特徴１５に記載のシステム。
［特徴１８］
前記第１のメモリエリアまたは前記第２のメモリエリアのうちの少なくとも一方は、クラウドベースのリソースを含む特徴１４に記載のシステム。
［特徴１９］
前記第１のデータのセットは、溶接履歴またはイベントログ記録を含む特徴１３に記載のシステム。
［特徴２０］
前記システムは、前記第１のデータのセットの前記一部分の前記第１の識別子を変更した後に、前記第１の識別子の参照子を削除する特徴１３に記載のシステム。
［特徴２１］
前記システムは、前記第１のデータのセットの前記一部分の前記第１の識別子を変更する前に、前記閲覧可能構成ページを介して通知をオペレーターに提示する特徴１３に記載のシステム。
【手続補正２】
【補正対象書類名】特許請求の範囲
【補正対象項目名】全文
【補正方法】変更
【補正の内容】
【特許請求の範囲】
【請求項１】
金属製造リソースパフォーマンスシステムのデータを管理する方法であって、
第１の金属製造リソースの金属製造動作中にサンプリングされた第１の複数のパラメーターを表す第１のデータのセットを非一時的コンピューター可読媒体に記憶することであって、前記リソースは、個々のリソースおよびリソースグループのリストからユーザーによって選択可能であり、前記第１のデータのセットは、前記第１の金属製造リソースに対応する第１の識別子を含むことと、
前記リストから第２の金属製造リソースを選択することであって、第２のデータのセットが、前記第２の金属製造リソースに対応する第２の識別子を含むことと、
前記第１のデータのセットの一部分の前記第１の識別子を前記第２の識別子に変更することとを含む金属製造リソースパフォーマンスシステムのデータを管理する方法。
【請求項２】
金属製造リソースパフォーマンス監視インターフェースであって、
ユーザー閲覧デバイスに送信されるコンピューター実行コードによって規定された少なくとも１つのユーザー閲覧可能構成ページを備え、該構成ページは、
個々の金属製造リソースおよび金属製造リソースグループのリストと、
前記リストから選択された金属製造リソースのプロパティを変更するユーザー構成可能入力部と、
前記リストからのサブセット金属製造リソースを含む対象マージリストと、
前記選択された金属製造リソースと関連付けられたデータレコードを前記対象マージリストから選択された対象金属製造リソースと関連付けられたデータレコード内にマージするように構成されたマージ制御部とを備える金属製造リソースパフォーマンス監視インターフェース。
【請求項３】
金属製造リソースパフォーマンス監視システムであって、
第１の金属製造リソースの金属製造動作中にサンプリングされた第１の複数のパラメーターを表す第１のデータのセットを非一時的コンピューター可読媒体に記憶することであって、前記リソースは、ユーザー閲覧デバイスの閲覧可能構成ページを介して閲覧可能な個々のリソースおよびリソースグループのリストからユーザーによって選択可能であり、前記第１のデータのセットは、前記第１の金属製造リソースに対応する第１の識別子を含むことと、
前記リストからの第２の金属製造リソースの選択を可能にすることであって、第２のデータのセットが、前記第２の金属製造リソースに対応する第２の識別子を含むことと、
前記第１のデータのセットの一部分の前記第１の識別子を前記第２の識別子に変更することとを行う金属製造リソースパフォーマンス監視システム。